(57)【要約】      （修正有）【課題】頂壁や側壁等の壁パネルや、折り返しパネルや被覆パネル等の端部パネルから切取パネルを確実に切り離すことが可能なカートンを提供する。【解決手段】両断続切断線の各切込部は、両断続切断線の間においてそれぞれ対向して配置され、対向する一対の切込部は、それぞれ対向切込部とされており、壁パネル２と端部パネル２２との境界部分には、対向境界切込部３２ｂが壁パネル２と端部パネル２２との境界線と交差して配置され、各対向壁切込部３２ａは、それぞれ隣位する各対向壁切込部３２ａと所定の間隙寸法Ａをもって離間して配置されており、対向境界切込部３２ｂと、この対向境界切込部３２ｂに隣位する対向壁切込部３２ａとの間隙寸法Ｂが、間隙寸法Ａと比較して短く設定されている。【選択図】図３
0003164366.tif 000002
【実用新案登録請求の範囲】
【請求項１】
頂壁、一対の側壁および底壁を構成する各壁パネルが順次連結され、両端が開口された筒状体と、
前記各壁パネルのうち少なくとも１つの壁パネルにおける前記開口側の端縁に連設された端部パネルと、
前記端部パネルが連設された前記各壁パネルのうち少なくとも１つの前記壁パネルに、前記端部パネルから前記壁パネルの一端縁を介して他端縁に向かって伸びる一対の断続切断線の間に形成され、前記壁パネルの一端縁または他端縁側に引っ張られることにより前記壁パネルおよび前記端部パネルから切り離される切取パネルとを有するカートンにおいて、
前記両断続切断線は、前記壁パネルの一端から他端の方向に並列配置される複数の切込部を有し、
一方の前記断続切断線における前記各切込部は、他方の前記断続切断線における前記切込部とそれぞれ対向して配置され、対向する一対の前記切込部は、それぞれ対向切込部とされており、
前記壁パネルと前記端部パネルとの境界部分には、対応する前記対向切込部が前記壁パネルと前記端部パネルとの境界線と交差して配置されて、前記対向境界切込部とされており、
前記各対向切込部のうち前記壁パネルに形成されている各対向切込部を、各対向壁切込部とし、前記各対向壁切込部は、それぞれ隣位する前記各対向壁切込部と前記切取パネルの長手方向において所定の間隙寸法をもって離間して配置されており、
前記対向境界切込部と、この対向境界切込部に隣位する前記対向壁切込部との間隙寸法が、隣位する前記各対向壁切込部同士の間隙寸法と比較して短く設定されていることを特徴とするカートン。
【請求項２】
前記各対向切込部のうち前記端部パネルに形成されている各対向切込部を各対向端部切込部とし、前記対向境界切込部とこの対向境界切込部に隣位する前記対向端部切込部との間隙寸法が、前記各対向壁切込部同士の間隙寸法と比較して短く設定されていることを特徴とする請求項１に記載のカートン。
【請求項３】
前記対向境界切込部は、前記壁パネルと前記端部パネルとの境界線に対して傾斜して配置される傾斜部を有し、
前記傾斜部が、前記境界線と交差することを特徴とする請求項１または請求項２に記載のカートン。
【請求項４】
前記対向境界切込部における前記両傾斜部は、前記切取パネルの引っ張り方向に向かって相互に離間するように形成されており、
前記両傾斜部における前記引っ張り方向の後端には、前記引っ張り方向に沿って直線状に配置される前記直線部が延設されていることを特徴とする請求項３に記載のカートン。
【考案の詳細な説明】
【技術分野】
【０００１】
本考案は、両端が開口された筒状体を有するカートンに係り、特に、頂壁、側壁あるいは底壁における開口側の端縁に、筒状体の内部側に折曲される折り返しパネルが設けられたカートンに関する。
【背景技術】
【０００２】
従来より、複数の缶等の被収納物をまとめて収容するカートンが、複数の物品の保管・運搬の容易性等の観点から多用されている。
【０００３】
従来のカートンは、例えば特許文献１に示すように、頂壁と、この頂壁の両側縁にそれぞれ折曲自在に連設されて対向して配置される一対の側壁と、各側壁の下側縁にそれぞれ折曲自在に連設された底壁とを有し、両端が開口とされた筒状体を備えている。
【０００４】
また、従来のカートンは、頂壁、両側壁、底壁の端縁に連設される端部パネルとして、例えば、折り返しパネル、被覆パネル、あるいはウェブパネルを有している（例えば、特許文献１の図４、図５参照）。折り返しパネルは、各側壁の両端縁に折曲自在に連設され、被覆パネルは、頂壁の両端縁に折曲自在に連設されており、また、ウェブパネルの一端部は、折り返しパネルの端部に折曲自在に連設され、ウェブパネルの他端部は、被覆パネルおよび底壁の端縁における端部に折曲自在に連設されている。このようなカートンは、各折り返しパネルをカートンの内方に折曲することにより、被覆パネルおよびウェブパネルが折曲されて筒状体の両開口の一部を閉鎖するように配置されるようになっており、カートンの内部に収納され開口に臨んで配置された被収容物の周壁の一部分を被覆するようになっている。そして、カートンは、折り返しパネル、被覆パネルおよびウェブパネルによって、被収容物がカートンの内部から抜け落ちることを防止するようになっている。
【０００５】
さらに、従来のカートンには、カートンを開封するための切取パネル（ジッパー）が、頂壁、両側壁を構成する各壁パネルのうち少なくともいずれか１つの壁パネルに設けられている（例えば、特許文献２参照）。この切取パネルは、壁パネルの一端縁から他端縁に向かって伸びて対向して配置される相互に一部平行とされた一対の断続切断線によって形成されており、切取パネルの途中部分には、一方の断続切断線から他方の断続切断線に向かって伸びる切離線が形成されている。
【０００６】
そして、このようなカートンは、切離線を基端として切取パネルを壁パネルの端縁方向に引っ張ることにより切取パネルが壁パネルから切り離され、これにより開封可能とされている。
【先行技術文献】
【特許文献】
【０００７】
【特許文献１】特許第３０６６１１１号公報
【特許文献２】米国公開２００８／００８３８２０号公報
【考案の概要】
【考案が解決しようとする課題】
【０００８】
しかし、前述のような切取パネルが形成されているカートンにおいて、例えば特許文献１の図１および図２に示すように側壁の両端部に折り返しパネルが連設されていたり、また、図４および図５に示すように頂壁の両端部に被覆パネルが連設されていると、切取パネルを側壁と折り返しパネルの境界部分、あるいは頂壁と被覆パネルとの境界部分において、切断が困難となる場合があった。そして、このような場合には、切取パネルを、頂壁および被覆パネルや、側壁および折り返しパネルから容易に切り離せないことがあるという問題を有していた。
【０００９】
本考案はこれらの点に鑑みてなされたものであり、頂壁や側壁等の壁パネルや、折り返しパネルや被覆パネル等の端部パネルから切取パネルを容易かつ確実に切り離すことが可能なカートンを提供することを目的とする。
【課題を解決するための手段】
【００１０】
前記目的を達成するため、本考案に係るカートンの特徴は、頂壁、一対の側壁および底壁を構成する各壁パネルが順次連結され、両端が開口された筒状体と、前記各壁パネルのうち少なくとも１つの壁パネルにおける前記開口側の端縁に連設された端部パネルと、前記端部パネルが連設された前記各壁パネルのうち少なくとも１つの前記壁パネルに、前記端部パネルから前記壁パネルの一端縁を介して他端縁に向かって伸びる一対の断続切断線の間に形成され、前記壁パネルの一端縁または他端縁側に引っ張られることにより前記壁パネルおよび前記端部パネルから切り離される切取パネルとを有するカートンにおいて、前記両断続切断線は、前記壁パネルの一端から他端の方向に並列配置される複数の切込部を有し、一方の前記断続切断線における前記切込部は、他方の前記断続切断線の前記切込部とそれぞれ対向して配置され、対向する一対の前記切込部は、それぞれ対向切込部とされており、前記壁パネルと前記端部パネルとの境界部分には、対応する前記対向切込部が前記壁パネルと前記端部パネルとの境界線と交差して配置されて、前記対向境界切込部とされており、前記各対向切込部のうち前記壁パネルに形成されている各対向切込部を、各対向壁切込部とし、前記各対向壁切込部は、それぞれ隣位する前記各対向壁切込部と前記切取パネルの長手方向において所定の間隙寸法をもって離間して配置されており、前記対向境界切込部と、この対向境界切込部に隣位する前記対向壁切込部との間隙寸法が、隣位する前記各対向壁切込部同士の間隙寸法と比較して短く設定されている点にある。
【００１１】
前述の構成を採用することにより、本考案に係るカートンによれば、壁パネルと端部パネルとの境界部分において、切取パネルを容易かつ確実に切断することができる。
【００１２】
また、本考案に係るカートンにおいて、前記各対向切込部のうち前記端部パネルに形成されている各対向切込部を各対向端部切込部とし、前記対向境界切込部とこの対向境界切込部に隣位する前記対向端部切込部との間隙寸法が、前記各対向壁切込部同士の間隙寸法と比較して短く設定されているとよい。
【００１３】
さらに、本考案に係るカートンにおいて、前記対向境界切込部は、前記壁パネルと前記端部パネルとの境界線に対して傾斜して配置される傾斜部を有し、前記傾斜部が、前記境界線と交差するとよい。
【００１４】
さらにまた、本考案に係るカートンにおいて、前記対向境界切込部における前記両傾斜部は、前記切取パネルの引っ張り方向に向かって相互に離間するように形成されており、前記両傾斜部における前記引っ張り方向の後端縁には、前記引っ張り方向に沿って直線状に配置される前記直線部が延設されているとよい。
【００１５】
このような構成を採用することにより、本考案に係るカートンによれば、壁パネルと端部パネルとの境界部分において、切取パネルをより容易かつ確実に切断することができる。
【考案の効果】
【００１６】
以上述べたように、本考案に係るカートンによれば、壁パネルと端部パネルとの境界部分において、切取パネルを容易に切断することができるので、切取パネルを、壁パネルおよび端部パネルから容易かつ確実に切り離すことができ、この結果、カートンの開封作業の容易化を図ることができる。
【図面の簡単な説明】
【００１７】
【図１】本考案に係るカートンの一実施形態を示す斜視図
【図２】図１のカートンの展開状態のカートンブランクを示す平面図
【図３】図２のカートンブランクの要部を示す拡大平面図
【考案を実施するための形態】
【００１８】
以下、本考案に係るカートンの一実施形態を図１乃至図３を参照して説明する。なお、図１および図２において、符号２Ａ、２Ｂ、２Ｃ、２Ｄの後に示される（２）は壁パネルを示し、符号２２Ａ、２２Ｂの後に示される（２２）は端部パネルを示す。
【００１９】
図１および図２に示すように、本実施形態に係るカートン１は、頂壁２Ａ、一対の側壁２Ｂ、２Ｃおよび底壁２Ｄを構成する各壁パネル２を備えた筒状体３を有し、底壁２Ｄは、一対の底板２Ｄａ、２Ｄｂにより構成されている。
【００２０】
頂壁２Ａの両側縁には、それぞれ折曲線５を介して側壁２Ｂ、２Ｃが連設され、両側壁２Ｂ、２Ｃにおける頂壁２Ａが連設されている側縁と反対側の側縁（下側縁）には、それぞれ折曲線６を介して底板２Ｄａ、２Ｄｂが連設されている。
【００２１】
このカートン１によれば、カートンブランク７を組み立てる際に各折曲線５、６を折曲するとともに、両底板２Ｄａ、２Ｄｂにおける側壁２Ｂ、２Ｃが連設されている側縁と反対側の側縁を相互に接続することにより、筒状体３が構成されるようになっており、筒状体３の両端は、開口８とされている。
【００２２】
図１には、カートン１の内部に収納される被収納物Ｄが２点鎖線で記載されており、本実施形態のカートン１は、全体として円柱形状の６本の被収納物Ｄを３個ずつ２列に収納しうる寸法に形成されているが、本考案に係るカートン１はこれに限定されるものではなく、複数の被収納物Ｄをまとめて収納することができる寸法であればよい。また、本考案に係るカートン１においては、被収納物Ｄの形状により、例えば、頂壁２Ａと両側壁２Ｂ、２Ｃとの間、および両側壁２Ｂ、２Ｃと底壁２Ｄとの間に、それぞれ折曲線を介して傾斜壁を介在させてもよい。
【００２３】
頂壁２Ａには、一部がこの頂壁２Ａと折曲線１０を介して連設され、それぞれ指挿入開口１１を形成する一対の折曲片１２が設けられており、両折曲片１２を押圧して両指挿入開口１１に指を挿入することにより、各被収納物Ｄを収納したカートン１を容易に持ち運ぶことができるようになっている。
【００２４】
また、頂壁２Ａにおける各指挿入開口１１よりも両側縁側には、頂壁２Ａの一端縁から他端縁に向かって伸びる一対の断続切断線１５が、各指挿入開口１１を間に挟んで位置するように形成されており、頂壁２Ａにおける両断続切断線１５の間に位置する部分は、頂壁切取パネル（頂壁用ジッパー）１６とされている。そして、頂壁切取パネル１６の一端縁を把持し、他端縁側に引っ張ることにより、両断続切断線１５を介して頂壁切取パネル１６を頂壁２Ａから切り離して、カートン１を開封することができるようになっている。
【００２５】
両底板２Ｄａ、２Ｄｂのうち一方の底板２Ｄａにおける側壁２Ｂと反対側の側縁部分には、４個の「きのこ」状の連結タブ１８が、幅方向に所定の間隔を隔ててそれぞれ切れ込み線により形成されており、各連結タブ１８の側壁２Ｂ側の側縁部分は、折曲線１９を介して底板２Ｄａに連結されている。また、他方の底板２Ｄｂにおける各連結タブ１８に対応する位置には、略長方形状のタブ嵌合開口２０がそれぞれ切れ込み線により形成されており、各タブ嵌合開口２０の側壁２Ｃ側の側縁は、底板２Ｄｂに連設されている。そして、カートンブランク７の組立時において、各連結タブ１８を各タブ嵌合開口２０に嵌合させることにより、両底板２Ｄａ、２Ｄｂを接続してカートン１の底壁２Ｄを構成するようになっている。
【００２６】
なお、両底板２Ｄａ、２Ｄｂの接続手段は、本実施形態の接続手段に限定されるものではなく、例えば、各底板２Ｄａ、２Ｄｂの他側縁を接着材等により接着してもよい。また、本実施形態においては、底壁２Ｄが一対の底板２Ｄａ、２Ｄｂにより構成されているが、本考案に係るカートン１はこれに限定されず、例えば、頂壁２Ａを一対の頂板により構成するようにしてもよい。
【００２７】
両側壁２Ｂ、２Ｃにおける筒状体３の開口８側の両端縁には、それぞれ側壁２Ｂ、２Ｃの端縁に連設される端部パネル２２として、折り返しパネル２２Ａが端部折曲線２３を介して折曲自在に連設されている。各折り返しパネル２２Ａは、カートンブランク７を組み立てる際に端部折曲線２３によってカートン１の内方に折曲されて隣位する側壁２Ｂ、２Ｃの内面に面接触するように重ねられるようになっている。
【００２８】
また、頂壁２Ａ、両側壁２Ｂ、２Ｃ、および底壁２Ｄを構成する各壁パネル２のうち隣位する２つのパネルに跨る位置であって各折曲線５、６の両端部位には、端部パネル２２としてそれぞれウェブパネル２２Ｂが設けられている。各ウェブパネル２２Ｂのうち頂壁２Ａおよび両側壁２Ｂ、２Ｃを跨いで位置するウェブパネル２２Ｂａの一端部は、折曲線２５を介して頂壁２Ａの端縁の一部に連設されており、ウェブパネル２２Ｂａの他端部は、折曲線２６を介して折り返しパネル２２Ａの端縁の一部に連設されている。
【００２９】
さらに、各ウェブパネル２２Ｂのうち底壁２Ｄおよび両側壁２Ｂ、２Ｃを跨いで位置するウェブパネル２２Ｂｂの一端部は、折曲線２７を介して底板２Ｄａ、２Ｄｂの端縁の一部に連設されており、ウェブパネル２２Ｂｂの他端部は、折曲線２８を介して折り返しパネル２２Ａの端縁の一部に連設されている。各ウェブパネル２２Ｂは、カートンブランク７の組み立て時において各折り返しパネル２２Ａがカートン１の内方に折曲されると、各折り返しパネル２２Ａと各ウェブパネル２２Ｂとの間の折曲線２６、２８が谷折りされるとともに、頂壁２Ａおよび両底板２Ｄａ、２Ｄｂと各ウェブパネル２２Ｂとの間の折曲線２５、２７が山折りされて、筒状体３の開口８の４つの角部に跨った状態で配置されるようになっている。このようなカートン１によれば、カートン１の内部に収納された被収納物Ｄのうち開口８に臨んで配置された被収納物Ｄの周壁の一部を各ウェブパネル２２Ｂによって被覆することができ、これにより、被収納物Ｄがカートン１の内部から抜け落ちてしまうことを防止することができるようになっている。
【００３０】
なお、端部パネル２２の構成は本実施形態の構成に限定されるものではなく、例えば、端部パネル２２として、筒状体３の開口８に臨んで配置される被収納物Ｄの周壁の一部を被覆する被覆パネルを、頂壁２Ａや底壁２Ｄの端縁に端部折曲線を介して折曲自在に連設してもよい。
【００３１】
さらに、両側壁２Ｂ、２Ｃのうち一方の側壁２Ｃには、この側壁２Ｃの一端縁から他端縁に向かって伸びる一対の断続切断線３０が相互に一部平行して位置するように形成されており、両断続切断線３０は、側壁２Ｃに連設された各折り返しパネル２２Ａに延設されている。そして、側壁２Ｃおよび各折り返しパネル２２Ａにおける両断続切断線３０の間に位置する部分は、切取パネルとしての側壁切取パネル（側壁用ジッパー）３１とされている。
【００３２】
側壁切取パネル３１を構成する両断続切断線３０は、それぞれ側壁２Ｃの一端から他端の方向に並列して配置される複数の切込部３２を有している。一方の断続切断線３０の切込部３２は、他方の断続切断線３０の切込部３２とそれぞれ対向して配置され、対向する一対の切込部３２は、それぞれ対向切込部３２とされている。側壁切取パネル３１の途中部分には、対向切込部３２のうち一方の切込部３２から他方の切込部３２に向かって伸びる切離線３５が形成されており、側壁切取パネル３１は、この切離線３５によって２つに分断されて一対の切取片３１ａ、３１ｂとされている。
【００３３】
そして、側壁切取パネル３１は、一方の切取片３１ａが切離線３５の端部を基端として側壁２Ｃの一端縁の方向に引っ張られ、他方の切取片３１ｂが切離線３５の端部を基端として側壁２Ｃの他端縁の方向に引っ張られることにより、両断続切断線３０を介して側壁２Ｃおよび折り返しパネル２２Ａから切り離し可能とされており、これにより、カートン１を開封することができるようになっている。
【００３４】
各切込部３２のうち切離線３５を介して対向して配置される対向切込部３２およびこの両切込部３２に隣位する各切込部３２は、切取片３１ａ、３１ｂが切離線３５の端部を基端として引っ張られる引っ張り方向に沿って直線状に配置される直線部３３ａのみにより構成されている。一方、図３に示すように、他の各対向各切込部３２は、側壁２Ｃと両折り返しパネル２２Ａの境界線である端部折曲線２３に対して傾斜して配置される傾斜部３３ｂと、傾斜部３３ｂの前記引っ張り方向における後端縁から延設され前記引っ張り方向に沿って直線状に配置される直線部３３ｃとにより構成されている。また、本実施形態において、対向切込部３２における両傾斜部３３ｂは、前記引っ張り方向に向かって相互に離間するように形成されている。各対向切込部３２における両直線部３３ｃの間隙寸法や、直線部３３ｃに対する傾斜部３３ｂの傾斜角度等は、カートンブランク７を構成する材料の質や厚み、壁パネル２や端部パネル２２の大きさ、各切取片３１ａ、３１ｂの切断の容易性や側壁２Ｃの強度等、種々の条件を考慮して設定される。
【００３５】
また、傾斜部３３ｂおよび直線部３３ｃを有する各対向切込部３２のうち、全体が壁パネル２としての側壁２Ｃに形成されている各対向壁切込部３２ａは、それぞれ隣位する各対向壁切込部３２ａと所定の間隙寸法Ａをもって離間して配置されており、この間隙寸法Ａは、カートンブランク７を構成する材料の質や厚み、壁パネル２や端部パネル２２の大きさ、各切取片３１ａ、３１ｂの切断の容易性や側壁２Ｃの強度等、種々の条件を考慮して設定される。
【００３６】
本実施形態においては、特に、側壁２Ｃと両折り返しパネル２２Ａとの境界部分には、対向切込部３２が形成されて対向境界切込部３２ｂとされており、この対向境界切込部３２ｂは、傾斜部３３ｂが側壁２Ｃと両折り返しパネル２２Ａの境界線である端部折曲線２３と交差するように配置されている。この端部折曲線２３と交差して配置された対向境界切込部３２ｂと、この対向境界切込部３２ｂに隣位する対向壁切込部３２ａとの各切断片３１ａ、３１ｂの長手方向における間隙寸法Ｂは、各対向壁切込部３２ａ間の間隙寸法Ａと比較して短く設定されている。さらに、各対向切込部３２のうち折り返しパネル２２Ａに形成されている各対向切込部３２は各対向端部切込部３２ｃとされており、対向境界切込部３２ｂと、この対向境界切込部３２ｂに隣位する対向端部切込部３２ｃとの間隙寸法Ｃは、前記間隙寸法Ａと比較して短く設定されている。なお、間隙寸法Ｂと間隙寸法Ｃとは、同一寸法でも、異なる寸法でもよい。
【００３７】
ここで、間隙寸法Ｂおよび間隙寸法Ｃが、間隙寸法Ａと比較して短く設定されるとは、間隙寸法Ｂおよび間隙寸法Ｃの数値がプラスであって間隙寸法Ａよりも短い間隙がある場合の他、間隙寸法Ｂおよび間隙寸法Ｃの数値が０やマイナスの間隙がない場合も含まれる。このとき、間隙寸法Ｂおよび間隙寸法Ｃの数値が０の場合とは、対向境界切込部３２ｂにおける傾斜部３３ｂの前端および隣位する対向壁切込部３２ａにおける直線部３３ｃの後端、また対向境界切込部３２ｂにおける直線部３３ｃの後端および隣位する対向端部切込部３２ｃにおける傾斜部３３ｂの前端が、前記引っ張り方向、すなわち各切取片３１ａ、３１ｂの長手方向に対して面一に配置される場合をいう。また、間隙寸法Ｂおよび間隙寸法Ｃの数値がマイナスの場合とは、対向境界切込部３２ｂにおける傾斜部３３ｂの前端および隣位する対向壁切込部３２ａにおける直線部３３ｃの後端、また対向境界切込部３２ｂにおける直線部３３ｃの後端および隣位する対向端部切込部３２ｃにおける傾斜部３３ｂの前端が、前記引っ張り方向に対して重なって配置される場合をいう。本実施形態においては、間隙寸法Ｂおよび間隙寸法Ｃは、ともに０に設定されている。この間隙寸法Ｂおよび間隙寸法Ｃも、カートンブランク７を構成する材料の質や厚み、壁パネル２や端部パネル２２の大きさ、各切取片３１ａ、３１ｂの切断の容易性や側壁２Ｂ、２Ｃおよび折り返しパネル２２Ａの強度等、種々の条件を考慮して設定される。
【００３８】
次に、本実施形態の作用について説明する。
【００３９】
本実施形態によれば、対向境界切込部３２ｂが、側壁２Ｃと折り返しパネル２２Ａとの境界線と交差して配置されるように形成されているとともに、対向境界切込部３２ｂと、この対向境界切込部３２ｂに隣位する対向壁切込部３２ａとの間隙寸法Ｂが、各対向壁切込部３２ａ同士の間隙寸法Ａと比較して短く設定されている。このため、切取片３１ａ、３１ｂを切離線３５の端部を基端として側壁２Ｃの端縁方向に引っ張ることにより、側壁２Ｃと折り返しパネル２２Ａとの境界部分において、側壁切取パネル３１を容易かつ確実に切断することができる。
【００４０】
したがって、本実施形態に係るカートン１によれば、側壁切取パネル３１を、側壁２Ｃおよび折り返しパネル２２Ａから容易かつ確実に切り離すことができ、カートン１の開封作業の容易化を図ることができる。また、各対向壁切込部３２ａは、隣位する各壁切込部３２ａと所定の間隙寸法Ａをもって離間して配置されているので、カートン１の強度を維持することができる。
【００４１】
また、対向境界切込部３２ｂと、この境界切込部３２ｂに隣位する対向端部切込部３２ｃとの間隙寸法Ｃを、各対向壁切込部３２ａ同士の間隙寸法Ａと比較して短く設定することにより、側壁２Ｃと折り返しパネル２２Ａとの境界部分において側壁切取パネル３１をより容易かつ確実に切断することができるので、側壁切取パネル３１を、側壁２Ｃおよび折り返しパネル２２Ａから一層容易かつ確実に切り離すことができる。
【００４２】
さらに、対向境界切込部３２ｂの傾斜部３３ｂを、側壁２Ｃと折り返しパネル２２Ａとの境界線と交差するように配置させることにより、側壁２Ｃと折り返しパネル２２Ａとの境界部分において側壁切取パネル３１をより容易かつ確実に切断することができるので、側壁切取パネル３１を、側壁２Ｂ、２Ｃおよび折り返しパネル２２Ａから一層容易かつ確実に切り離すことができる。
【００４３】
さらにまた、対向境界切込部３２ｂの両傾斜部３３ｂを、前記引っ張り方向に向かって相互に離間するように形成し、傾斜部３３ｂにおける前記引っ張り方向の後端縁に、前記引っ張り方向に沿って直線状に配置される直線部３３ｃを延設することにより、側壁２Ｃと折り返しパネル２２Ａとの境界部分において側壁切取パネル３１をより容易かつ確実に切断することができるので、側壁切取パネル３１を、側壁２Ｂ、２Ｃおよび折り返しパネル２２Ａから一層容易かつ確実に切り離すことができる。
【００４４】
なお、本考案は前記実施形態に限定されるものではなく、必要に応じて種々変更することが可能である。
【００４５】
例えば、本実施形態に係るカートン１においては、端部パネル２２としての折り返しパネル２２Ａおよび壁パネル２としての側壁２Ｃに切取パネルとしての側壁パネル３１を設けているが、本考案はこれに限定されるものではない。
【００４６】
本考案に係るカートン１の他の例としては、壁パネル２としての頂壁２Ａの両端縁に、被収納物の周壁における上部分を被覆するための端部パネル２２としての被覆パネルを折曲線を介して連設してもよい。このようなカートン１によれば、頂壁２Ａおよび被覆パネルに、対向して配置される一対の断続切断線を形成して切取パネルを設け、対向境界切込部を、頂壁２Ａと被覆パネルとの間に位置する折曲線に交差するように配置するとよい。
【００４７】
また、壁パネル２としての底壁２Ｄの端縁に、端部パネル２２を連設してもよい。このようなカートン１によれば、底壁２Ｄおよび端部パネル２２に一対の断続切断線を形成して切取パネルを設け、対向境界切込部を、底壁２Ｄと端部パネル２２との間に位置する境界線に交差するように配置してもよい。
【符号の説明】
【００４８】
１  カートン
２  壁パネル
２Ａ  頂壁
２Ｂ、２Ｃ  側壁
２Ｄ  底壁
２Ｄａ、２Ｄｂ  底板
３  筒状体
８  開口
２２  端部パネル
２２Ａ  折り返しパネル
２３  端部折曲線
３０  断続切断線
３１  側壁切取パネル
３１ａ、３１ｂ  切取片
３２  切込部
３２ａ  壁切込部
３２ｂ  境界切込部
３２ｃ  端部切込部
３３ａ  直線部
３３ｂ  傾斜部
３３ｃ  直線部
【図１】
0003164366.tif 000003
【図２】
0003164366.tif 000004
【図３】
0003164366.tif 000005